(57)【要約】  【課題】  狭環境において観賞者に映像を大画面で観賞しているように見せる際に、観賞者に違和感を与えずに音響を再生することができる映像音響再生システムを提供する。  【解決手段】  映像信号に基づいて再生された映像を拡大した虚像１３を形成する虚像形成手段４と、音響信号に基づいて再生される再生音響の音像を虚像１３が形成されたと観賞者によって知覚される虚像位置に基づいた音像位置２７に定位するよう音響信号を音像定位処理する音像定位処理手段とを備える。【選択図】  図１
2006050094.tif 000002
【特許請求の範囲】
【請求項１】
映像信号に基づいて再生された映像を拡大した虚像を形成する虚像形成手段と、
音響信号に基づいて再生される再生音響の音像を前記虚像が形成されたと観賞者によって知覚される虚像位置に基づいて定位するよう前記音響信号を音像定位処理する音像定位処理手段とを備えたことを特徴とする映像音響再生システム。
【請求項２】
前記虚像位置を表す虚像位置情報が入力される虚像位置情報入力手段と、
前記虚像位置情報に基づいて前記虚像位置を変更する虚像位置変更手段とを備え、
前記音像定位処理手段は、前記虚像位置情報に基づいて前記音像定位処理を行うようにしたことを特徴とする請求項１に記載の映像音響再生システム。
【請求項３】
前記虚像形成手段によって拡大される映像を再生する映像再生手段を備え、
前記虚像位置変更手段は、前記虚像位置情報に基づいて前記映像再生手段と前記虚像形成手段との間の光学距離を変更することを特徴とする請求項２に記載の映像音響再生システム。
【請求項４】
前記音像定位処理手段は、前記再生音響の擬似的な反射音を表す反射音信号を生成し前記音響信号に合成する処理と、前記再生音響の高域周波数成分のレベルを調整する処理との少なくとも一方を行うことを特徴とする請求項１乃至請求項３の何れかに記載の映像音響再生システム。
【請求項５】
前記虚像形成手段は、車両に設けられた前席シートに埋設されることを特徴とする請求項１乃至請求項４の何れかに記載の映像音響再生システム。
【請求項６】
前記虚像形成手段は、車両に設けられた前席シートの背面に設置されることを特徴とする請求項１乃至請求項４の何れかに記載の映像音響再生システム。
【請求項７】
請求項１乃至請求項６の何れかに記載の映像音響再生システムを備えたことを特徴とする車両。
【請求項８】
入力された映像信号に基づいて再生された映像を拡大した虚像を形成する虚像形成ステップと、
入力された音響信号に基づいて再生される再生音響の音像を前記虚像が形成されたと観賞者によって知覚される虚像位置に基づいて定位するよう前記音響信号を音像定位処理する音像定位ステップとを有することを特徴とする映像音響再生方法。
【請求項９】
前記虚像位置を表す虚像位置情報が入力される虚像位置情報入力ステップと、
前記虚像位置情報に基づき前記虚像位置を変更する虚像位置変更ステップとを有し、
前記音響信号処理ステップでは、前記虚像位置情報に基づいて前記音像定位処理を行うことを特徴とする請求項８に記載の映像音響再生方法。
【発明の詳細な説明】
【技術分野】
【０００１】
本発明は、車載用後席エンターテインメントシステム（以下、「ＲＳＥ」という。）等に適用され、映画またはテレビ放送等の映像および音響を提供する映像音響再生システムに関するものである。
【背景技術】
【０００２】
近年、ＲＳＥをはじめとする車載用の映像音響再生システムの普及が進んでいる。映像音響再生システムにおいて映像表示するための装置としては液晶パネルを有したディスプレイが一般的である。一方、車室内のような狭空間において、より大きなサイズの映像を観賞者に観賞させるために、凹面ミラーを有する拡大光学系等によって映像を拡大することにより虚像を形成し、観賞者に映像を大画面で観賞しているように見せる技術が開示されている。
【０００３】
例えば、従来の映像音響再生システムは、図１０に示すように、映像を表示する映像表示手段５０と、映像表示手段５０によって表示された映像を拡大して虚像を形成する凹面ミラー５１と、音声を出力するヘッドフォン５２とを備え、観賞者に映像を大画面で観賞しているように見せている（例えば、特許文献１参照）。
【特許文献１】実開平６−５１００６号公報
【発明の開示】
【発明が解決しようとする課題】
【０００４】
しかしながら、従来の映像音響再生システムにおいては、ヘッドフォンを装着する煩わしさが不可避である。また、観賞者の近傍、例えば、前席シートに設置したスピーカから音響を再生すると、虚像は前席シートから離れた位置に観賞者によって知覚されているにもかかわらず音響は観賞者の近傍から再生されることとなり、観賞者に違和感を与えるという課題が残される。
【０００５】
本発明は、上述した課題を解決するためになされたもので、狭環境において観賞者に映像を大画面で観賞しているように見せる際に、観賞者に違和感を与えずに音響を再生することができる映像音響再生システムを提供することを目的とする。
【課題を解決するための手段】
【０００６】
本発明の映像音響再生システムは、映像信号に基づいて再生された映像を拡大した虚像を形成する虚像形成手段と、音響信号に基づいて再生される再生音響の音像を前記虚像が形成されたと観賞者によって知覚される虚像位置に基づいて定位するよう前記音響信号を音像定位処理する音像定位処理手段とを備えた構成を有している。
【０００７】
この構成により、音響信号に基づいて再生される再生音響の音像を虚像が形成されたと観賞者によって知覚される虚像位置に基づいて定位するよう音響信号を音像定位処理するため、狭環境において観賞者に映像を大画面で観賞しているように見せる際に、観賞者に違和感を与えずに音響を再生することができる。
【０００８】
また、本発明の映像音響再生システムは、前記虚像位置を表す虚像位置情報が入力される虚像位置情報入力手段と、前記虚像位置情報に基づいて前記虚像位置を変更する虚像位置変更手段とを備え、前記音像定位処理手段は、前記虚像位置情報に基づいて前記音像定位処理を行うように構成されている。
【０００９】
この構成により、虚像位置情報に基づいた虚像位置に虚像を形成すると共に、音像を定位するため、虚像位置が変化した場合にも音像位置を変更でき、観賞者に違和感を与えずに音響を再生することができる。
【００１０】
また、本発明の映像音響再生システムは、前記虚像形成手段によって拡大される映像を再生する映像再生手段を備え、前記虚像位置変更手段は、前記虚像位置情報に基づいて前記映像再生手段と前記虚像形成手段との間の光学距離を変更するように構成されている。
【００１１】
この構成により、虚像位置情報に基づいて映像再生手段と虚像形成手段との間の光学距離を変更するため、虚像位置をシームレスに変更することができる。
【００１２】
また、本発明の映像音響再生システムは、前記音像定位処理手段は、前記再生音響の擬似的な反射音を表す反射音信号を生成し前記音響信号に合成する処理と、前記再生音響の高域周波数成分のレベルを調整する処理との少なくとも一方を行うように構成されている。
【００１３】
この構成により、観賞者に対して所望の位置に音像が定位されるため、狭環境において観賞者に映像を大画面で観賞しているように見せる際に、観賞者に違和感を与えずに音響を再生することができる。
【００１４】
また、本発明の映像音響再生システムは、前記虚像形成手段は、車両に設けられた前席シートに埋設される構成を有している。
【００１５】
また、本発明の映像音響再生システムは、前記虚像形成手段は、車両に設けられた前席シートの背面に設置される構成を有している。
【００１６】
また、本発明の車両は、前記映像音響再生システムを備えた構成を有している。
【００１７】
これら構成により、車両内において観賞者に映像を大画面で観賞しているように見せると共に、観賞者に違和感を与えずに音響を再生することができる。
【００１８】
また、本発明の映像音響再生方法は、入力された映像信号に基づいて再生された映像を拡大した虚像を形成する虚像形成ステップと、入力された音響信号に基づいて再生される再生音響の音像を前記虚像が形成されたと観賞者によって知覚される虚像位置に基づいて定位するよう前記音響信号を音像定位処理する音像定位ステップとを有している。
【００１９】
この方法により、映像信号に伴って入力された音響信号に基づいて再生される再生音響の音像を虚像が形成されたと観賞者によって知覚される虚像位置に基づいて定位するよう音響信号を音像定位処理するため、狭環境において観賞者に映像を大画面で観賞しているように見せる際に、観賞者に違和感を与えずに音響を再生することができる。
【００２０】
また、本発明の映像音響再生方法は、前記虚像位置を表す虚像位置情報が入力される虚像位置情報入力ステップと、前記虚像位置情報に基づき前記虚像位置を変更する虚像位置変更ステップとを有し、前記音響信号処理ステップでは、前記虚像位置情報に基づいて前記音像定位処理を行う。
【００２１】
この方法により、虚像位置情報に基づいた虚像位置に虚像を形成すると共に、音像を定位するため、虚像位置が変化した場合にも音像位置を変更でき、観賞者に違和感を与えずに音響を再生することができる。
【発明の効果】
【００２２】
本発明は、音響信号に基づいて再生される再生音響の音像を虚像が形成されたと観賞者によって知覚される虚像位置に基づいて定位するよう音響信号を音像定位処理する音像定位処理手段を設けることにより、狭環境において観賞者に映像を大画面で観賞しているように見せる際に、観賞者に違和感を与えずに音響を再生することができる映像音響再生システムを提供することができるものである。
【発明を実施するための最良の形態】
【００２３】
以下、本発明の実施の形態について、図面を参照して説明する。
【００２４】
（第１の実施の形態）
本発明の第１の実施の形態の映像音響再生システムを図１および図２に示す。
【００２５】
図１は、映像音響再生システム１の説明図であり、図２は、映像音響再生システム１のブロック図である。なお、以下の説明において、映像音響再生システム１は、車両に備えられているものとする。
【００２６】
図２において、映像音響再生システム１は、映像信号が入力される映像信号入力手段２と、入力された映像信号に基づいて映像を再生する映像再生手段３と、再生された映像を拡大した虚像を形成する虚像形成手段４とを備えている。
【００２７】
映像信号入力手段２は、映像信号を映像音響再生システム１に取り込むようになっており、例えばコンポジット映像入力端子を有する。
【００２８】
図１において、虚像形成手段４は、車両に設けられた運転席等の前席シート１０の背面に設置される。なお、虚像形成手段４は、前席シート１０に埋設されていてもよい。観賞者は、車両に設けられた後部席等の後席シート１１に着座し、視点１２から虚像形成手段４によって形成された虚像１３を観賞するものとする。
【００２９】
ここで、虚像形成手段４による虚像１３の形成について図面を参照して説明する。
【００３０】
図３は、虚像形成手段４の構成を示す構成図である。
【００３１】
映像再生手段３によって再生された映像は、第１の光路１４を通り、虚像形成手段４を構成する半透過ミラー１５に入射されるようになっており、半透過ミラー１５は、第１の光路１４から入射された映像の一部を透過し、一部を反射するようになっている。
【００３２】
半透過ミラー１５によって反射された映像は第２の光路１６を通り、虚像形成手段４を構成する凹面ミラー１７に入射されるようになっており、凹面ミラー１７は、第２の光路１６から入射された映像を全反射するようになっている。
【００３３】
凹面ミラー１７によって全反射された映像は、凹面ミラー１７の光軸１８と一致する第３の光路１９を通り、半透過ミラー１５に再び入射されるようになっており、半透過ミラー１５は、第３の光路１９から入射された映像の一部を反射し、一部を透過するようになっている。
【００３４】
半透過ミラー１５によって透過された映像は、開口部２０を通る第４の光路２１を通り、観賞者の視点１２に到達する。
【００３５】
図４は、図３で示した虚像形成手段４の構成と光学的に等価な第１の構成を示す構成図である。
【００３６】
図４においては、凹面ミラー１７の光軸１８上に映像再生手段３を配置し、第１の光路１４、第２の光路１６、第３の光路１９、および第４の光路２１が凹面ミラー１７の光軸１８と一致するように半透過ミラー１５を省略し、凹面ミラー１７の主点から映像再生手段３までの距離をａ、凹面ミラー１７の主点から焦点２２までの距離をｆ、凹面ミラー１７の主点から虚像位置までの距離をｂ、凹面ミラー１７の主点から観賞者の視点１２までの距離をｃ、映像再生手段３によって再生された映像の一辺の半分の長さをｙ、虚像形成手段４によって形成される虚像１３の一辺の半分の長さをｙ'と表した。
【００３７】
このように、映像再生手段３が凹面ミラー１７の焦点２２より凹面ミラー１７側に配置されると、凹面ミラー１７の位置から離れた虚像位置に虚像１３があると観賞者によって知覚される。
【００３８】
図５は、図４で示した第１の構成と光学的に等価な第２の構成を示す構成図である。
【００３９】
図５においては、凹面ミラーと凸レンズは光学的に等価であるため凹面ミラー１７に代えて凸レンズ２３を配置し、映像再生手段３を凸レンズ２３の主点を中心として視点１２に対して対向するよう配置した。
【００４０】
また、凸レンズ２３の主点から映像再生手段３までの距離をａ、凸レンズ２３の主点から焦点２４までの距離をｆ、凸レンズ２３の主点から虚像位置までの距離をｂ、凸レンズ２３の主点から観賞者の視点１２までの距離をｃ、映像再生手段３によって再生された映像の一辺の半分の長さをｙ、虚像形成手段４によって形成される虚像１３の一辺の半分の長さをｙ'と表した。
【００４１】
ここで、図５におけるａ、ｙおよびｆが図４におけるａ、ｙおよびｆとそれぞれ等しいとすると、図５におけるｂおよびｙ'も図４におけるｂおよびｙ'とそれぞれ等しくなる。
【００４２】
図６は、図５に示した第２の構成を以って虚像形成手段４による虚像形成を説明するための説明図である。
【００４３】
図６において、凸レンズ２３の主点と虚像１３の上端とを結ぶ線が凸レンズ２３の光軸２５に対してなす角をθとし、凸レンズ２３の焦点２４と対向する前側焦点２６と虚像１３の上端とを結ぶ線が光軸２５に対してなす角をθ'とすると、ｙ＝ａ×ｔａｎθ、ｙ'＝ｂ×ｔａｎθ、ｙ＝ｆ×ｔａｎθ'、ｙ'＝（ｂ＋ｆ）×ｔａｎθ'となる。
【００４４】
ここで、映像再生手段３によって再生される映像の一辺と虚像１３の一辺の比、すなわち拡大率ｙ'／ｙは、ａ、ｂおよびｆを用いてｙ'／ｙ＝ｂ／ａ＝ｆ／（ｆ−ａ）となる。
【００４５】
例えば、ｆ＝３００ｍｍとし、ａ＝２５０ｍｍとなる位置に４インチのパネルを有する映像再生手段３を設置した場合、ｂ＝ａ×ｆ／（ｆ−ａ）＝１５００ｍｍ、ｙ'／ｙ＝ｂ／ａ＝６となるので、虚像形成手段４は、視点１２から観賞する観賞者に対して、レンズの主点から１．５ｍ先の虚像位置に６×４＝２４インチの虚像１３を形成する。
【００４６】
図２に戻り、映像音響再生システム１は、音響信号が入力される音響信号入力手段５と、入力された音響信号に基づいて再生される再生音響の音像を虚像１３が形成されたと観賞者によって知覚される虚像位置に基づいて定位するよう音響信号を音像定位処理する音像定位処理手段６と、音響信号に基づいて再生音響を再生して出力する音響出力手段７とを備えている。
【００４７】
音響信号入力手段５は、音響信号を映像音響再生システム１に取り込むようになっており、例えばアナログ音声入力端子を有する。
【００４８】
図１において、映像に伴う再生音響は、スピーカを有する音響出力手段７によって再生されるが、音響出力手段７が虚像位置に基づいた音像位置２７にあると観賞者に知覚されるよう音像定位処理手段６は、音響信号を音像定位処理するようになっている。
【００４９】
ここで、音像定位処理手段６における音像定位処理について説明する。
【００５０】
観賞者が音源との距離を知覚する要素としては、音量、直接音と反射音の割合、および高音の減衰などによる周波数特性の変化などが挙げられる。
【００５１】
「音量」の変化によって、観賞者は、音源との距離が変化したと知覚する。
【００５２】
「直接音と反射音の割合」については、音源と観賞者が閉空間にある状態では、両者の距離が大きくなると、周囲に存在する反射壁からの反射音の影響が大きくなる。すなわち、直接音に対する反射音の割合が大きくなることにより、観賞者は音源が離れたと知覚する。なお、反射音の特性については空間にある反射壁や温度などの環境にも依存する。
【００５３】
「周波数特性」については、音の高周波成分が減衰すると、観賞者は、音源が離れたと知覚する。
【００５４】
音像定位処理手段６は、上述した観賞者が音源との距離を知覚する要素のうち「直接音と反射音の割合」および「周波数特性」を変化させることによって、虚像形成手段４によって形成される虚像１３の虚像位置、または虚像位置の近傍に音響出力手段７が位置していると観賞者に知覚させるように音響信号を音像定位処理するようになっている。
【００５５】
図７は、音像定位処理手段６の構成の一例を示すブロック図である。
【００５６】
図７において、音像定位処理手段６は、音響信号を遅延させる遅延器３０、３１、３２と、音響信号を増幅する増幅器３３、３４、３５、３６と、各増幅器によって増幅された音声信号を加算する加算器３７と、音声信号を平滑化する低域通過フィルタ３８と、遅延器３０、３１、３２、増幅器３３、３４、３５、３６、および低域通過フィルタ３８の各パラメータを設定するパラメータ設定部３９とを備えている。
【００５７】
なお、音像定位処理手段６は、１つ以上の遅延器と、その出力に対する増幅器を備えていればよい。
【００５８】
パラメータ設定部３９は、遅延器３０、３１、３２に遅延時間を表すパラメータをそれぞれ設定することによって、遅延器３０、３１、３２に擬似的な反射音を表す反射音信号を生成させるようになっている。
【００５９】
また、パラメータ設定部３９は、増幅器３３、３４、３５、３６に増幅率を表すパラメータをそれぞれ設定することによって、「直接音と反射音の割合」を調整するようになっている。
【００６０】
また、パラメータ設定部３９は、低域通過フィルタ３８のカットオフ周波数や帯域外減衰量等の各パラメータを設定することによって、加算器３７によって加算された音響信号の高域周波数成分のレベルを調整することによって「周波数特性」を調整するようになっている。
【００６１】
ここで、直接音と反射音との合成の仕組みについて図８を参照して説明する。
【００６２】
図８において、縦軸は音響信号のレベル、横軸は現在時刻ｔから過去に遡った時刻を示している。閉空間で考えた場合、音源から観賞者に到達する音響は、ある時刻での直接音とその反射音とを合成することによって構成される。
【００６３】
パルス音が音源において発生し、現在時刻ｔにおいて振幅Ｍ０の直接音が観賞者に到着したとすると、音源において発生したパルス音が反射された１つ目のパルス音は、遅延時間Ｄ１が経過した時に振幅Ｍ１で到達し、次に反射されたパルス音は、遅延時間Ｄ２が経過した時に振幅Ｍ２で到達する。このようにｎ番目に反射されたパルス音は、遅延時間Ｄｎが経過した時に振幅Ｍｎで到達するものとする。
【００６４】
これらのパルス音が時間軸上で連続して観賞者に到達すると考え、音源において発生したパルス音である直接音と直接音に対する各反射音とを各時刻について合成することによって観賞者によって音像が定位されたと知覚される音響を生成することができる。ここで、Ｄ１、Ｄ２、・・・、Ｄｎ、およびＭ０、Ｍ１、・・・、Ｍｎは閉空間の形状などの環境や観賞者の位置によって定まる定数である。
【００６５】
図７に示した遅延器３０、３１、３２、増幅器３３、３４、３５、３６、および加算器３７は、上述したように合成された音響を再生する音響信号を生成するようになっている。
【００６６】
Ｍ０、Ｍ１、Ｍ２、・・・、ＭｎおよびＤ１、Ｄ２、・・・、Ｄｎの各パラメータの値は音響出力手段７と音像位置２７との間の距離によって変化する。これらの各パラメータの値は、例えば、閉空間を準備してインパルス応答を測定し、測定した結果に基づいて決定する方法や、計算機によるシミュレーションによって求める方法などがある。なお、上述した閉空間は、車両などのように実際に映像音響再生システム１が設けられる観賞空間であっても、家庭、ホールなど別の空間であってもよい。
【００６７】
なお、音響出力手段７と観賞者との間には障害物がなく距離も短いので、観賞者の位置と音響出力手段７の位置が同じと考えて遅延器３０、３１、３２、および増幅器３３、３４、３５、３６の各パラメータを決定してもよい。また、観賞者と音響出力手段７との間の距離を考慮に入れて上記各パラメータを決定してもよい。
【００６８】
また、映像再生手段３と虚像形成手段４との間の距離を検知して虚像位置を表す虚像位置情報を生成する虚像位置情報生成手段を映像音響再生システム１に設け、パラメータ設定部３９は、虚像位置情報に基づいて遅延器３０、３１、３２、増幅器３３、３４、３５、３６、および低域通過フィルタ３８の各パラメータを設定するようにしてもよい。
【００６９】
また、音像位置２７が固有であり変更の必要がない場合には、遅延器３０、３１、３２、増幅器３３、３４、３５、３６、および低域通過フィルタ３８の各パラメータは、遅延器３０、３１、３２、増幅器３３、３４、３５、３６、および低域通過フィルタ３８にそれぞれ設定されていてもよい。
【００７０】
このように、本発明の第１の実施形態の映像音響再生システム１によれば、音響信号に基づいて再生される再生音響の音像を虚像１３が形成されたと観賞者によって知覚される虚像位置に基づいた音像位置２７に定位するよう音響信号を音像定位処理する音像定位処理手段６を設けることにより、狭環境において観賞者に映像を大画面で観賞しているように見せる際に、観賞者に違和感を与えずに音響を再生することができる。
【００７１】
（第２の実施の形態）
次に、本発明の第２の実施形態の映像音響再生システムを図９に示す。なお、本発明の第２の実施の形態における映像音響再生システム４０においては、本発明の第１の実施の形態における映像音響再生システム１の構成要素と同一の構成要素に同一の符号を付して、その説明を省略する。
【００７２】
図９において、映像音響再生システム４０は、映像信号入力手段２と、映像再生手段３と、虚像形成手段４と、音響信号入力手段５と、音像定位処理手段６と、音響出力手段７と、虚像位置を表す虚像位置情報が入力される虚像位置情報入力手段４１と、虚像位置情報に基づいて虚像位置を変更する虚像位置変更手段４２とを備えている。
【００７３】
虚像位置情報入力手段４１は、観賞者が観賞しやすい位置に虚像形成手段４が虚像を形成するために、虚像位置情報を入力するためのインターフェースであり、例えば、虚像位置情報を指定する数値が入力される数値入力ボタンを有する。
【００７４】
虚像位置変更手段４２は、虚像位置情報入力手段４１に入力された虚像位置情報に基づいて映像再生手段３と虚像形成手段４との間の光学距離を変更するようになっている。
【００７５】
また、虚像位置変更手段４２は、虚像位置情報入力手段４１に入力された虚像位置情報に基づいて音像定位処理手段６の遅延器３０、３１、３２、増幅器３３、３４、３５、３６、および低域通過フィルタ３８の各パラメータを設定するようパラメータ設定部３９を制御するようになっている。
【００７６】
以下、映像音響再生システム４０の動作について説明する。
【００７７】
虚像位置情報入力手段４１に虚像位置情報が入力されると、虚像位置情報に基づいて映像再生手段３と虚像形成手段４との間の光学距離が虚像位置変更手段４２によって変更され、虚像位置が変更される。
【００７８】
例えば、図４において、凹面ミラー１７と映像再生手段３との間の距離ａが虚像位置変更手段４２によって変更されることで虚像位置が変更される。観賞者の視点１２から虚像位置までの距離は、ａ×ｆ／（ｆ−ａ）＋ｃで表されるので、ｆより小さい範囲でａの値を大きくすれば虚像位置を観賞者から遠ざけることができる。
【００７９】
一方、虚像位置情報に基づいて、音像定位処理手段６の遅延器３０、３１、３２、増幅器３３、３４、３５、３６、および低域通過フィルタ３８の各パラメータを設定するようパラメータ設定部３９が虚像位置変更手段４２によって制御され、音像定位処理手段６によって音像が定位された音響信号に基づいて再生音響が音響出力手段７によって出力される。
【００８０】
このように、本発明の第２の実施形態の映像音響再生システム４０によれば、虚像位置情報に基づいて虚像位置および音像位置を変更する虚像位置変更手段４２を設けることにより、虚像位置が変化した場合にも音像位置を変更でき、観賞者に違和感を与えずに音響を再生することができる。
【００８１】
なお、本発明の第１の実施の形態および本発明の第２の実施の形態における音像定位処理手段６は、観賞者が音源との距離を知覚する要素のうち「直接音と反射音の割合」および「周波数特性」を調整すると説明したが、本発明においては、「直接音と反射音の割合」および「周波数特性」の何れか一方を調整するようにしてもよい。また、音像定位処理手段６による反射音信号の生成、「直接音と反射音の割合」の調整、および「周波数特性」の調整についても一例でありこれらの方法に限るものではない。本発明の音像定位処理手段は、音像を所望の位置に定位することができるものであればよい。
【００８２】
また、本発明の第１の実施の形態および本発明の第２の実施の形態における虚像形成手段４は、半透過ミラー１５と凹面ミラー１７とによって構成したが、本発明における虚像形成手段は、観賞者に映像を大画面で観賞しているように見せるものであれば他の構成であってもよい。
【００８３】
また、本発明の第１の実施の形態および本発明の第２の実施の形態における音響出力手段７は、１つのスピーカを有するものとして説明したが、本発明においては、複数のスピーカを有してもよい。
【００８４】
さらに、本発明における音響出力手段は、特定の方向にのみ音響出力を行う指向性スピーカを有するようにしてもよい。これより運転者や同乗者への音漏れを低減することができ、より快適な観賞を実現できる。
【００８５】
また、本発明は、車載用に限定されるものではなく、列車、飛行機などに対しても同様に適用することができる。
【産業上の利用可能性】
【００８６】
以上のように、本発明にかかる映像音響再生システムは、音響信号に基づいて再生される再生音響の音像を虚像が形成されたと観賞者によって知覚される虚像位置に基づいて定位するよう音響信号を音像定位処理する音像定位処理手段を設けることにより、狭環境において観賞者に映像を大画面で観賞しているように見せる際に、観賞者に違和感を与えずに音響を再生することができるという効果を有し、ＲＳＥ等に適用され、映画またはテレビ放送等の映像および音響を提供する映像音響再生システム等として有用である。
【図面の簡単な説明】
【００８７】
【図１】本発明の第１の実施の形態における映像音響再生システムの説明図
【図２】本発明の第１の実施の形態における映像音響再生システムのブロック図
【図３】本発明の第１の実施の形態における映像音響再生システムを構成する虚像形成手段の構成図
【図４】本発明の第１の実施の形態における映像音響再生システムを構成する虚像形成手段と光学的に等価な第１の構成を示す構成図
【図５】図４に示した第１の構成と光学的に等価な第２の構成を示す構成図
【図６】本発明の第１の実施の形態における映像音響再生システムを構成する虚像形成手段による虚像形成の説明図
【図７】本発明の第１の実施の形態における映像音響再生システムを構成する音像定位処理手段のブロック図
【図８】本発明の第１の実施の形態における映像音響再生システムを構成する音像定位処理手段による音像定位処理における直接音と反射音との合成の仕組みを説明するためのグラフ
【図９】本発明の第２の実施の形態における映像音響再生システムのブロック図
【図１０】従来の映像音響再生システムの説明図
【符号の説明】
【００８８】
１、４０  映像音響再生システム
２  映像信号入力手段
３  映像再生手段
４  虚像形成手段
５  音響信号入力手段
６  音像定位処理手段
７  音響出力手段
１０  前席シート
１１  後席シート
１２  視点
１３  虚像
１４  第１の光路
１５  半透過ミラー
１６  第２の光路
１７、５１  凹面ミラー
１８、２５  光軸
１９  第３の光路
２０  開口部
２１  第４の光路
２２、２４  焦点
２３  凸レンズ
２６  前側焦点
２７  音像位置
３０、３１、３２  遅延器
３３、３４、３５、３６  増幅器
３７  加算器
３８  低域通過フィルタ
３９  パラメータ設定部
４１  虚像位置情報入力手段
４２  虚像位置変更手段
５０  映像表示手段
５２  ヘッドフォン
【図１】
2006050094.tif 000003
【図２】
2006050094.tif 000004
【図３】
2006050094.tif 000005
【図４】
2006050094.tif 000006
【図５】
2006050094.tif 000007
【図６】
2006050094.tif 000008
【図７】
2006050094.tif 000009
【図８】
2006050094.tif 000010
【図９】
2006050094.tif 000011
【図１０】
2006050094.tif 000012